(57)【要約】【課題】ビルトインタイプの食器洗い機において、洗浄槽が筐体内に戻されシステムキッチン等に収納された状態で、食器洗い機の前方から洗浄槽内の運転確認ができる食器洗い機を提供する。【解決手段】第１の開口部１８を有する筐体１７と、第１の開口部１８を覆う扉体２１と、筐体１７内に前後方向に移動自在に設置され、上方に第２の開口部２６を有する洗浄槽２０と、第２の開口部２６を開閉自在に覆う内蓋２７とを備え、扉体２１に透明もしくは半透明な第２の窓部３２を設けるとともに、内蓋２７の少なくとも一部を透明部もしくは半透明部で構成し、第２の窓部３２から内蓋２７の透明部もしくは半透明部を介して食器洗い機の前方から洗浄槽２０の内部を視認可能としたものであり、主に洗浄性能維持のための保守・メンテナンスを容易に行うことができる。【選択図】図１
2010088764.tif 000002
【特許請求の範囲】
【請求項１】
第１の開口部を有する筐体と、前記第１の開口部を覆う扉体と、前記筐体内に前後方向に移動自在に設置され、上方に第２の開口部を有するとともに被洗浄物を収容し洗浄する洗浄槽と、前記第２の開口部を開閉自在に覆う内蓋とを備え、前記扉体に透明もしくは半透明な窓部を設けるとともに、前記内蓋の少なくとも一部を透明部もしくは半透明部で構成し、前記扉体の窓部から前記内蓋の透明部もしくは半透明部を介して前記洗浄槽の内部を視認可能とした食器洗い機。
【請求項２】
洗浄槽を筐体内に収納した時に、内蓋が第２の開口部を閉塞するよう移動することにより、扉体の窓部から前記内蓋の透明部もしくは半透明部を介して前記洗浄槽の内部を視認可能とした請求項１記載の食器洗い機。
【請求項３】
内蓋の透明部または半透明部の上方後部に反射板を設け、前記反射板を介して洗浄槽の内部を視認可能とした請求項１または２記載の食器洗い機。
【請求項４】
反射板は、内蓋の移動に連動して回動するように前記内蓋に軸支した請求項３記載の食器洗い機。
【発明の詳細な説明】
【技術分野】
【０００１】
本発明は洗浄ノズルより食器に向けて洗浄水を噴射して食器を洗浄するビルトインタイプの食器洗い機に関するものである。
【背景技術】
【０００２】
図３に示すように、従来の一般的なビルトインタイプの食器洗い機は、システムキッチンに収容され、前方に第１の開口部１を有する筐体２の内部に設けた洗浄槽３は、前方に第１の開口部１を覆う扉体４と、上方に第２の開口部５を設け、内部に食器類６を収容する食器かご７を配置している。食器かご７の下方には洗浄ノズル８を回転自在に設けており、洗浄槽３内に溜めた洗浄水をポンプ９によって循環させ、洗浄ノズル８より噴射して食器類６を洗浄する。
【０００３】
また、洗浄槽３の左右の側部下方にはレール１０を固定し、前後方向へ平行移動可能に支持されている。食器類６の出し入れを行う際には、扉体４に一体的に形成された把手部１１をつかみ、洗浄槽３を前方に引き出し、第２の開口部５より食器類６の収容をする。次に洗浄槽３を筐体２内に戻し、収納するとともに筐体２内の上部空間に待機していた内蓋１２が、筐体２内の左右の側面に配したリンク機構１３等により後方へ移動しつつ降下して洗浄槽３の第２の開口部５を閉塞するよう構成している。
【０００４】
扉体４は、上方に把手部１１と操作部１４を配設し、下方にシステムキッチンと同様な意匠が施されたパネル１５が装備されている。
【０００５】
操作部１４により運転を開始すると、洗浄槽３の底部に配置されたヒータ１６よって洗浄水を加熱しながら、洗浄ノズル８から食器類６に向かって噴射し、食器類６の汚れを落とす洗浄行程を行う。その後、食器類６をすすいだ後、乾燥行程を行って運転を終了するようになっている（例えば、特許文献１参照）。
【特許文献１】特開２０００−１３９７９９号公報
【発明の開示】
【発明が解決しようとする課題】
【０００６】
しかしながら、このような従来の食器洗い機の構成では、洗浄槽３が筐体２内に戻され、システムキッチンに収容された状態で、洗浄槽３の内部が見えないため、洗浄中の動作確認をポンプ９の運転音および洗浄ノズル８の噴射音に頼るしかなく、この場合、食器類６が食器かご７より脱落し、ポンプ９が動作していても洗浄ノズル８が回転していない、または、食器類６が洗浄ノズル８の噴射を妨げ、所定にセットされた食器類６に噴射が届かないなどの動作不良が確認ができないため、洗浄不良が発生した場合の確認が困難という問題を有していた。
【０００７】
また、洗浄槽３の前面に窓をつけることは可能ではあるが、扉体４にはパネル１５が装備されているため洗浄槽３前面部から洗浄槽３の内部は見ることはできない。また、上方に第２の開口部５を設けるよう一体形成された洗浄槽３に側面から穴を空けるのはシール構成が困難であると共に、金型等が非常に大きく高価になるため、実現性がないという問題を有していた。
【０００８】
本発明は、上記従来の課題を解決するもので、構成が容易で、かつ安価な内蓋を利用し、洗浄槽が筐体内に戻され、システムキッチン等に収納された状態で洗浄槽内の運転確認でき、洗浄ノズルが食器類に接触して回転不良をしていないか、食器類が倒れて洗浄ノズ
ルの噴射を妨げていないか等の主に洗浄性能維持のための保守・メンテナンスを容易に行える食器洗い機を提供することを目的としている。
【課題を解決するための手段】
【０００９】
本発明は上記目的を達成するため、第１の開口部を有する筐体と、前記第１の開口部を覆う扉体と、前記筐体内に前後方向に移動自在に設置され、上方に第２の開口部を有するとともに被洗浄物を収容し洗浄する洗浄槽と、前記第２の開口部を開閉自在に覆う内蓋とを備え、前記扉体に透明もしくは半透明な窓部を設けるとともに、前記内蓋の少なくとも一部を透明部もしくは半透明部で構成し、前記扉体の窓部から前記内蓋の透明部もしくは半透明部を介して前記洗浄槽の内部を視認可能としたもので、これにより、構成が容易で、かつ安価な内蓋を利用し、洗浄槽が筐体内に戻され、システムキッチン等に収納された状態で洗浄槽内の運転確認できるため、洗浄ノズルが食器類に接触して回転不良をしていないか、食器類が倒れて洗浄ノズルの噴射を妨げていないか等が扉体を介して食器洗い機の前方から確認可能となり、主に洗浄性能維持のための保守・メンテナンスを容易に行うことができる。
【発明の効果】
【００１０】
本発明の食器洗い機は、構成が容易で、かつ安価な内蓋を利用し、洗浄槽が筐体内に戻され、システムキッチン等に収納された状態で洗浄槽内の運転確認できるため、洗浄ノズルが食器類に接触して回転不良をしていないか、食器類が倒れて洗浄ノズルの噴射を妨げていないか等が扉体を介して食器洗い機の前方から確認可能となり、主に洗浄性能維持のための保守・メンテナンスを容易に行うことができる。
【発明を実施するための最良の形態】
【００１１】
第１の発明は、第１の開口部を有する筐体と、前記第１の開口部を覆う扉体と、前記筐体内に前後方向に移動自在に設置され、上方に第２の開口部を有するとともに被洗浄物を収容し洗浄する洗浄槽と、前記第２の開口部を開閉自在に覆う内蓋とを備え、前記扉体に透明もしくは半透明な窓部を設けるとともに、前記内蓋の少なくとも一部を透明部もしくは半透明部で構成し、前記扉体の窓部から前記内蓋の透明部もしくは半透明部を介して前記洗浄槽の内部を視認可能としたことにより、構成が容易で、かつ安価な内蓋を利用し、洗浄槽が筐体内に戻され、システムキッチン等に収納された状態で洗浄槽内の運転確認できるため、洗浄ノズルが食器類に接触して回転不良をしていないか、食器類が倒れて洗浄ノズルの噴射を妨げていないか等が扉体を介して食器洗い機の前方から確認可能となり、主に洗浄性能維持のための保守・メンテナンスを容易に行うことができる。
【００１２】
第２の発明は、上記第１の発明において、洗浄槽を筐体内に収納した時に、内蓋が第２の開口部を閉塞するよう移動することにより、扉体の窓部から前記内蓋の透明部もしくは半透明部を介して前記洗浄槽の内部を視認可能としたことにより、洗浄槽内の視認が必要な洗浄槽を筐体内に収納した時にのみ、扉体の窓部から洗浄槽の内部を視認可能とするコンパクトな内蓋構成とすることができるので、使用状態での洗浄槽内部の視認を可能としながらも、洗浄槽の容積が大きいあるいは全体がコンパクトな食器洗い機を実現することができる。
【００１３】
第３の発明は、上記第１または第２の発明において、内蓋の透明部または半透明部の上方後部に反射板を設け、前記反射板を介して洗浄槽の内部を視認可能としたことにより、簡単かつ安価な構成で、システムキッチンに所定に収納された状態で扉体の正面から容易に洗浄槽内部の上方から見た様子を目視することができる。
【００１４】
第４の発明は、上記第３の発明において、反射板は、内蓋の移動に連動して回動するように前記内蓋に軸支したことにより、簡単かつ安価な内蓋まわりの構成で、洗浄槽を筐体
内に収容したときに扉体の前方から洗浄槽の内部を確認でき、かつ、洗浄槽を筐体から前方に引き出し、内蓋が筐体内で上方に移動したときの筐体上面と内蓋との間の空間の高さを小さくすることができ、使用状態での洗浄槽内部の確認を可能としながらも、食器洗い機をコンパクトにできる、あるいは洗浄槽の容積を大きく確保できる。
【００１５】
以下、本発明の実施の形態について、図面を参照しながら説明する。なお、この実施の形態によって本発明が限定されるものではない。
【００１６】
（実施の形態１）
図１および図２に示すように、システムキッチンに収容された筐体１７は、前面に第１の開口部１８を有し、筐体１７内に前後方向に移動自在に設けられ、食器類１９等の被洗浄物を収容し洗浄する洗浄槽２０には、洗浄槽２０が後方向に移動され筐体１７内に収納された時に第１の開口部１８を覆う扉体２１をその前方に設けている。
【００１７】
また、洗浄槽２０は、筐体１７の両側面内側に略水平方向に架設されたレール２２に沿って前後方向に引き出し自在となっており、内部に食器類１９を収容する食器かご２３を配置し、食器かご２３の下方には洗浄ノズル２４を回転自在に設けており、洗浄槽２０内に溜めた洗浄水を洗浄ポンプ２５によって循環させ、洗浄ノズル２４より噴射して食器類１９を洗浄するよう構成するとともに、上方に第２の開口部２６を有している。
【００１８】
また、筐体１７内の上方には第２の開口部２６を閉塞するための内蓋２７を配置し、前後一対のリンクを含む左右一対の平行リンク機構２８により上下動自在に支持されるとともに、この内蓋２７の下面には洗浄槽２０の第２の開口部２６をシールするシール部材２９が固定され、洗浄槽２０を引き出したとき、シール部材２９が洗浄槽２０の前後の移動に干渉しないよう上方に逃がす構成としている。
【００１９】
内蓋２７は樹脂で成形し、中央部にガラス製の第１の窓部３５を設けるとともに、第１の窓部３５の後方に反射板３０を配設している。
【００２０】
扉体２１は、下方にシステムキッチンと同様な意匠が施されたパネル３１が装備され、洗浄槽２０の上端より上方に第２の窓部３２を設けている。第２の窓部３２は、透明もしくは半透明な樹脂製またはガラス製である。
【００２１】
反射板３０は下面を鏡面とし、軸部３３を中心に回動可能としており、反射板３０と内蓋２７が略平行の位置から立ち上がる方向に付勢手段３４によって付勢し、内蓋２７の上下動に連動して回動するようにしている。
【００２２】
反射板３０は、洗浄槽２０が筐体１７内の所定の位置に収納され、内蓋２７が洗浄槽２０をシール部材２９がシールして第２の開口部２６を閉塞したとき、略４５°の傾きになるよう規制され、第１の窓部３５から見た洗浄槽２０内の映像を、第２の窓部３２に向けて反射するように構成している。また、洗浄槽２０を筐体１７から引き出し、内蓋２７が上昇した位置にあるとき、反射板３０は筐体１７の上面に押され、内蓋２７に略平行になるようにしている。
【００２３】
次に上記構成における食器洗い機の動作、作用について説明すると、食器類１９を食器かご２３にセットし、洗浄槽２０を筐体１７内に収容し運転を開始する。このとき、内蓋２７に配設された反射板３０は軸部３３を中心に内蓋２７と略平行に収容された状態から、内蓋２７の降下に合せて付勢手段３４によって立ち上がる方向に回動し、シール部材２９が第２の開口部２６のシールをする所定の位置になり、内蓋２７が洗浄槽２０の第２の開口部２６を閉塞する状態になったとき、略４５°の傾きで規制される。
【００２４】
これにより、内蓋２７に設けられた第１の窓部３５から映し出される洗浄槽２０の内部の映像が、扉体２１に設けた第２の窓部３２に反射されて投影され、システムキッチンに所定に収容され、運転している最中の洗浄槽２０内部の上方から見た様子を扉体２１の前方から容易に確認することができる。これにより、洗浄ノズル２４が食器類１９に接触して回転不良をしていないか、食器類１９が倒れて洗浄ノズル２４からの洗浄水の噴射を妨げていないか等が確認可能となり、主に洗浄性能維持のための保守・メンテナンスを容易に行うことができる。
【００２５】
また、付勢手段３４によって反射板３０は内蓋２７の上下動に連動して回動するよう構成して、内蓋２７が第２の開口部２６を閉塞するよう移動することにより、扉体２１の第２の窓部３２から内蓋２７の第１の窓部３５を介して食器洗い機の前方から洗浄槽２０の内部を視認可能としたので、簡単かつ安価な内蓋２７まわりの構成で、洗浄槽２０を筐体１７内に収容し、内蓋２７が洗浄槽２０の第２の開口部２６を閉塞する状態になったときに扉体２１の前方から洗浄槽２０の内部を確認でき、かつ、洗浄槽２０を筐体１７から前方に引き出し、内蓋２７が筐体１７内で上方に移動したときの筐体１７上面と内蓋２７との間の空間の高さを小さくすることができ、使用状態での洗浄槽２０内部の確認を可能としながらも、食器洗い機をコンパクトにできる、あるいは洗浄槽２０の容積を大きく確保できる。
【００２６】
また、内蓋２７を半透明で成形すれば、第１の窓部３５のような新たに窓部を設けることなく、容易に洗浄槽２０の内部を映し出すことができるため、安価に構成することができる。また、内蓋２７は、いずれの部分も半透明であるため、第２の窓部３２へ映し出す洗浄槽２０内の映像を自由に決めることができる。例えば、反射板３０の位置を移動することで、見たい被洗浄物に合せることで、より保守・メンテナンスを容易にすることができる。
【００２７】
以上記載した本発明による食器洗い機は、第１の開口部を有する筐体と、前記第１の開口部を覆う扉体と、前記筐体内に前後方向に移動自在に設置され、上方に第２の開口部を有するとともに被洗浄物を収容し洗浄する洗浄槽と、前記第２の開口部を開閉自在に覆う内蓋とを備え、前記扉体に透明もしくは半透明な窓部を設けるとともに、前記内蓋の少なくとも一部を透明部もしくは半透明部で構成し、前記扉体の窓部から前記内蓋の透明部もしくは半透明部を介して前記洗浄槽の内部を視認可能としたことで、構成が容易で、かつ安価な内蓋を利用し、洗浄槽が筐体内に戻され、システムキッチン等に収納された状態で洗浄槽内の運転確認できるため、洗浄ノズルが食器類に接触して回転不良をしていないか、食器類が倒れて洗浄ノズルの噴射を妨げていないか等が扉体を介して食器洗い機の前方から確認可能となり、主に洗浄性能維持のための保守・メンテナンスを容易に行うことができる。
【産業上の利用可能性】
【００２８】
以上のように、本発明にかかる食器洗い機は、洗浄ノズルが食器類に接触して回転不良をしていないか、食器類が倒れて洗浄ノズルの噴射を妨げていないか等が扉体を介して食器洗い機の前方から確認可能となり、主に洗浄性能維持のための保守・メンテナンスを容易に行うことができるので、家庭用のビルトインタイプの食器洗い機のみならず、業務用の食器洗い機としても有用である。
【図面の簡単な説明】
【００２９】
【図１】本発明の実施の形態１の食器洗い機の洗浄槽を筐体内に収納した状態の縦断面図
【図２】同食器洗い機の洗浄槽を筐体から引き出した状態の縦断面図
【図３】従来の食器洗い機の縦断面図
【符号の説明】
【００３０】
１７  筐体
１８  第１の開口部
１９  食器類（被洗浄物）
２０  洗浄槽
２１  扉体
２４  洗浄ノズル
２６  第２の開口部
２７  内蓋
３０  反射板
３２  第２の窓部（窓部）
３５  第１の窓部（透明部もしくは半透明部）
【図１】
2010088764.tif 000003
【図２】
2010088764.tif 000004
【図３】
2010088764.tif 000005